(57)【要約】【課題】一方の表示領域に表示された全体画像に含まれる被写体を自動的に拡大して他方の表示領域に表示する。【解決手段】表示部の表示画面内にアクティブ状態の表示領域８ａと非アクティブ状態の表示領域８ｂを構成する２画面表示モードを備えた制御部６ｃと、画像データが記録されている画像記憶部と、アクティブ状態の表示領域８ａに表示する画像を画像記憶部に記録された画像データから選択する画像指示部６ｂと、を備え、制御部６ｃは、アクティブ状態の表示領域８ａに画像指示部６ｂで指示された画像データを表示データに変換して表示し、画像指示部６ｂで指示された画像データから被写体を検出し、画像指示部６ｂで指示された画像データから検出された被写体の拡大または縮小画像を生成し、非アクティブ状態の表示領域８ｂに生成された被写体の拡大または縮小画像を表示する、ことを特徴とする。【選択図】図１
2008022517.tif 000002
【特許請求の範囲】
【請求項１】
表示画面を備えた表示部と、
前記表示部の表示画面内にアクティブ状態の表示領域と非アクティブ状態の表示領域を構成する２画面表示モードを備えた制御部と、
記録データが記録されている画像記憶部と、
前記アクティブ状態の表示領域に表示する画像を前記画像記憶部に記録された記録データから選択する画像指示部と、
を備え、
前記制御部は、
前記アクティブ状態の表示領域に前記画像指示部で指示された記録データを表示データに変換して表示し、
前記画像指示部で指示された記録データまたは前記画像指示部で指示された記録データから変換された表示データから被写体を検出し、
前記画像指示部で指示された記録データまたは前記画像指示部で指示された記録データから変換された表示データから前記検出された被写体の拡大または縮小画像を生成し、
前記非アクティブ状態の表示領域に前記生成された被写体の拡大または縮小画像を表示する、
ことを特徴とする画像表示装置。
【請求項２】
前記制御部は、
前記アクティブ状態の表示領域に前記画像指示部で指示された記録データを表示データに変換して表示し、
前記画像指示部で指示された記録データまたは前記画像指示部で指示された記録データから変換された表示データから複数の被写体を検出したときに、
前記画像指示部で指示された記録データまたは前記画像指示部で指示された記録データから変換された表示データから前記検出された複数の被写体の拡大または縮小画像を生成し、
前記非アクティブ状態の表示領域に前記生成された複数の被写体の拡大または縮小画像を並列表示する、
ことを特徴とする請求項１に記載の画像表示装置。
【請求項３】
前記制御部が前記画像指示部で指示された記録データまたは前記画像指示部で指示された記録データから変換された表示データから複数の被写体を検出したときに、前記検出された複数の被写体から一つまたは複数の被写体を選択する被写体選択部、
をさらに備え、
前記制御部は、
前記アクティブ状態の表示領域に前記画像指示部で指示された記録データを表示データに変換して表示し、
前記画像指示部で指示された記録データまたは前記画像指示部で指示された記録データから変換された表示データから複数の被写体を検出したときに、
前記アクティブ状態の表示領域に表示された画像に前記検出された複数の被写体を選択可能に指示し、
前記画像指示部で指示された記録データまたは前記画像指示部で指示された記録データから変換された表示データから前記被写体選択部で選択された一つまたは複数の被写体の拡大または縮小画像を生成し、
前記非アクティブ状態の表示領域に前記生成された一つまたは複数の被写体の拡大または縮小画像を選択表示する、
ことを特徴とする請求項１に記載の画像表示装置。
【請求項４】
表示画面を備えた表示部と、
前記表示部の表示画面内にアクティブ状態の表示領域と非アクティブ状態の表示領域を構成する２画面表示モードを備えた制御部と、
記録データが記録されている画像記憶部と、
前記アクティブ状態の表示領域に表示する画像を前記画像記憶部に記録された記録データの一部または全部から順次指示する画像順次指示部と、
を備え、
前記制御部は、
前記アクティブ状態の表示領域に前記画像順次指示部で指示された記録データを表示データに変換して表示し、
前記画像順次指示部で指示された記録データまたは前記画像順次指示部で指示された記録データから変換された表示データから被写体を検出し、
前記画像順次指示部で指示された記録データまたは前記画像順次指示部で指示された記録データから変換された表示データから前記検出された被写体の拡大または縮小画像を生成し、
前記非アクティブ状態の表示領域に前記生成された被写体の拡大または縮小画像を表示する、
ことを特徴とする画像表示装置。
【請求項５】
前記制御部は、
前記アクティブ状態の表示領域に前記画像順次指示部で指示された記録データを表示データに変換して表示し、
前記画像順次指示部で指示された記録データまたは前記画像順次指示部で指示された記録データから変換された表示データから複数の被写体を検出したときに、
前記画像順次指示部で指示された記録データまたは前記画像順次指示部で指示された記録データから変換された表示データから前記検出された複数の被写体の拡大または縮小画像を生成し、
前記非アクティブ状態の表示領域に前記生成された複数の被写体の拡大または縮小画像を並列表示する、
ことを特徴とする請求項４に記載の画像表示装置。
【請求項６】
前記制御部は、
前記アクティブ状態の表示領域に前記画像順次指示部で指示された記録データを表示データに変換して表示し、
前記画像順次指示部で指示された記録データまたは前記画像順次指示部で指示された記録データから変換された表示データから複数の被写体を検出したときに、
前記画像順次指示部で指示された記録データまたは前記画像順次指示部で指示された記録データから変換された表示データから前記検出された複数の被写体の拡大または縮小画像を生成し、
前記非アクティブ状態の表示領域に前記生成された複数の被写体の拡大または縮小画像を順次表示する、
ことを特徴とする請求項４に記載の画像表示装置。
【請求項７】
前記制御部は、
前記画像順次指示部で指示された記録データまたは前記画像順次指示部で指示された記録データから変換された表示データから被写体を検出しなかったときに、
前記アクティブ状態の表示領域に前記画像順次指示部で指示された記録データから変換された表示データを表示しない、
ことを特徴とする請求項４〜６のいずれかに記載の画像表示装置。
【請求項８】
表示画面を備えた表示部と、
前記表示部の表示画面内にアクティブ状態の表示領域と非アクティブ状態の表示領域を構成する２画面表示モードを備えた制御部と、
記録データが記録されている画像記憶部と、
前記制御部が前記画像記憶部に記録された記録データまたは前記画像記憶部に記録された記録データから変換された表示データから検出し、前記画像記憶部に記録された記録データまたは前記画像記憶部に記録された記録データから変換された表示データから生成した被写体の拡大または縮小画像を記録する被写体記憶部と、
前記アクティブ状態の表示領域に表示する画像を前記被写体記憶部に記録された被写体の拡大または縮小画像から選択する被写体指示部と、
を備え、
前記制御部は、
前記アクティブ状態の表示領域に前記被写体指示部で指示された被写体の拡大または縮小画像を表示し、
前記画像記憶部に記録された記録データから前記被写体指示部で指示された被写体を含む記録データを検出し、
前記非アクティブ状態の表示領域に前記検出された記録データを表示データに変換して表示する、
ことを特徴とする画像表示装置。
【請求項９】
前記制御部は、
前記アクティブ状態の表示領域に前記被写体指示部で指示された被写体の拡大または縮小画像を表示し、
前記画像記憶部に記録された記録データから前記被写体指示部で指示された被写体と同一または類似する被写体を含む記録データを検出し、
前記非アクティブ状態の表示領域に前記検出された記録データを表示データに変換して表示する、
ことを特徴とする請求項８に記載の画像表示装置。
【請求項１０】
前記制御部は、
前記アクティブ状態の表示領域に前記被写体指示部で指示された被写体の拡大または縮小画像を表示し、
前記画像記憶部に記録された記録データから複数の前記被写体指示部で指示された被写体と同一または類似する被写体を含む記録データを検出したときに、
前記非アクティブ状態の表示領域に前記検出された記録データを表示データに変換して並列表示する、
ことを特徴とする請求項９に記載の画像表示装置。
【請求項１１】
前記制御部は、
前記アクティブ状態の表示領域に前記被写体指示部で指示された被写体の拡大または縮小画像を表示し、
前記画像記憶部に記録された記録データから複数の前記被写体指示部で指示された被写体と同一または類似する被写体を含む記録データを検出したときに、
前記非アクティブ状態の表示領域に前記検出された記録データを表示データに変換して順次表示する、
ことを特徴とする請求項９に記載の画像表示装置。
【請求項１２】
表示画面を備えた表示部と、
前記表示部の表示画面内にアクティブ状態の表示領域と非アクティブ状態の表示領域を構成する２画面表示モードを備えた制御部と、
記録データが記録されている画像記憶部と、
前記制御部が前記画像記憶部に記録された記録データまたは前記画像記憶部に記録された記録データから変換された表示データから検出し、前記画像記憶部に記録された記録データまたは前記画像記憶部に記録された記録データから変換された表示データから生成した被写体の拡大または縮小画像を記録する被写体記憶部と、
前記アクティブ状態の表示領域に表示する画像を前記被写体記憶部に記録された被写体の拡大または縮小画像の一部または全部から順次指示する被写体順次指示部と、
を備え、
前記制御部は、
前記アクティブ状態の表示領域に前記被写体順次指示部で指示された被写体の拡大または縮小画像を表示し、
前記画像記憶部に記録された記録データから前記被写体順次指示部で指示された被写体を含む記録データを検出し、
前記非アクティブ状態の表示領域に前記検出された記録データを表示データに変換して表示する、
ことを特徴とする画像表示装置。
【請求項１３】
前記制御部は、
前記アクティブ状態の表示領域に記録データを表示データに変換して表示し、
前記表示データから被写体を検出しなかったときに、
前記記録データから被写体を検出する、
ことを特徴とする請求項１〜１２のいずれかに記載の画像表示装置。
【請求項１４】
前記制御部が記録データまたは表示データのいずれから被写体を検出するかを選択する検出選択部、
をさらに備え、
前記制御部は、
前記アクティブ状態の表示領域に記録データを表示データに変換して表示し、
前記検出選択部で選択された前記記録データまたは前記表示データのいずれかから被写体を検出する、
ことを特徴とする請求項１〜１２のいずれかに記載の画像表示装置。
【請求項１５】
前記制御部は、
前記アクティブ状態の表示領域に記録データを表示データに変換して表示し、
前記記録データまたは前記表示データから被写体を検出しなかったときに、
前記非アクティブ状態の表示領域に被写体を検出しなかったこと示す情報を表示する、
ことを特徴とする請求項１〜６、８〜１４のいずれかに記載の画像表示装置。
【請求項１６】
前記制御部は、
前記アクティブ状態の表示領域に記録データを表示データに変換して表示し、
前記記録データまたは前記表示データから被写体を検出し、
前記検出された被写体が所定の大きさより大きいときは前記表示データから前記検出された被写体の拡大または縮小画像を生成し、
前記検出された被写体が所定の大きさより小さいときは前記記録データから前記検出された被写体の拡大または縮小画像を生成する、
ことを特徴とする請求項１〜１５のいずれかに記載の画像表示装置。
【請求項１７】
前記制御部は、
前記アクティブ状態の表示領域に記録データを表示データに変換して表示し、
前記記録データまたは前記表示データから被写体を検出し、
前記表示データから前記検出された被写体の縮小画像を生成し、
前記記録データから前記検出された被写体の拡大画像を生成する、
ことを特徴とする請求項１〜１６のいずれかに記載の画像表示装置。
【請求項１８】
前記制御部が記録データまたは表示データのいずれから被写体の拡大または縮小画像を生成するかを選択する生成選択部、
をさらに備え、
前記制御部は、
前記アクティブ状態の表示領域に記録データを表示データに変換して表示し、
前記記録データまたは前記表示データから被写体を検出し、
前記生成選択部で選択された前記記録データまたは前記表示データのいずれかから前記検出された被写体の拡大または縮小画像を生成する、
ことを特徴とする請求項１〜１７のいずれかに記載の画像表示装置。
【請求項１９】
前記表示領域のいずれを前記アクティブ状態の表示領域とするかを選択する領域選択部、
をさらに備え、
前記制御部は、
前記領域選択部によって選択された表示領域を前記アクティブ状態の表示領域とし、
前記領域選択部によって選択されなかった表示領域を前記非アクティブ状態の表示領域とする、
ことを特徴とする請求項１〜１８のいずれかに記載の画像表示装置。
【請求項２０】
前記画像記憶部は、
記録データが記録された記憶媒体を着脱可能な記憶媒体装着部である、
ことを特徴とする請求項１〜１９のいずれかに記載の画像表示装置。
【請求項２１】
前記表示部は、
表示装置を接続可能な表示装置インタフェース部である、
ことを特徴とする請求項１〜２０のいずれかに記載の画像表示装置。
【請求項２２】
前記表示部は、
少なくとも二つの表示画面から構成され、
一方の表示画面が前記アクティブ状態の表示領域として、他方の表示画面が前記非アクティブ状態の表示領域として機能する、
ことを特徴とする請求項１〜２１のいずれかに記載の画像表示装置。
【請求項２３】
前記被写体は、
人物、動物、植物、文字、図形、標準的な形状が認知可能な物体のいずれかまたは複数である、
ことを特徴とする請求項１〜２２のいずれかに記載の画像表示装置。
【請求項２４】
コンピュータを、
記録データを選択する画像指示手段と、
表示画面内にアクティブ状態の表示領域と非アクティブ状態の表示領域を構成し、
前記アクティブ状態の表示領域に前記画像指示手段で指示された記録データを表示データに変換して表示し、
前記画像指示手段で指示された記録データまたは前記画像指示手段で指示された記録データから変換された表示データから被写体を検出し、
前記画像指示手段で指示された記録データまたは前記画像指示手段で指示された記録データから変換された表示データから前記検出された被写体の拡大または縮小画像を生成し、
前記非アクティブ状態の表示領域に前記生成された被写体の拡大または縮小画像を表示する制御手段と、
して機能させる画像表示プログラム。
【請求項２５】
コンピュータを、
被写体の拡大または縮小画像を選択する被写体指示手段と、
表示画面内にアクティブ状態の表示領域と非アクティブ状態の表示領域を構成し、
前記アクティブ状態の表示領域に前記被写体指示手段で指示された被写体の拡大または縮小画像を表示し、
前記被写体指示手段で指示された被写体を含む記録データを検出し、
前記非アクティブ状態の表示領域に前記検出された記録データを表示データに変換して表示する制御手段と、
して機能させる画像表示プログラム。
【発明の詳細な説明】
【技術分野】
【０００１】
本発明は、画像を表示する画像表示装置および画像表示プログラムに関するものであり、特には表示画面を複数の表示領域に分割し、それぞれの表示領域に異なる画像を表示することができる画像表示装置および画像表示プログラムに関する。
【背景技術】
【０００２】
デジタルスチルカメラには、撮影を行うために撮像素子に結像した画像をそのまま動画表示したり、すでに撮影されメモリカードなどに記録された画像を表示したりすることができる対角２〜３インチ程度の液晶ディスプレイが搭載されている。このような液晶ディスプレイは、デジタルスチルカメラ本体の小型化の進行にもかかわらず、大画面化、高精細化、色再現性など表示性能の向上が進んでいる。
【０００３】
近年、液晶ディスプレイの表示性能の向上を利用して様々な機能が提案されている。その機能の一つに、複数の画像を一度に表示させることができるマルチ表示機能と呼ばれる機能がある（例えば特許文献１参照）。
【０００４】
特許文献１には、撮影した類似画像を詳細に見比べることができるように、一つの液晶ディスプレイの表示画面上に、複数の画像をマルチ表示させる構成が開示されている。具体的には、表示画面の短辺方向を縦方向として、左右に並べるようにして二つの表示領域を設け、それぞれの表示領域に異なる画像を表示させている。
【特許文献１】特開２００６−５６４０号公報
【発明の開示】
【発明が解決しようとする課題】
【０００５】
しかしながら、特許文献１に開示されているマルチ表示機能を用いると、画像１枚あたりの表示面積が小さくなるため細部の確認が困難になる。そのため、一方の表示領域に全体画像を表示し他方の表示領域にその一部を拡大表示するときに、全体画像から拡大したい部分を選択するのが困難である。また、拡大率も指定しなければならず、全体画像に拡大したい部分が複数含まれるときは、さらに煩雑な操作が必要になる。
【０００６】
本発明は、上記問題に鑑み、一方の表示領域に全体画像を表示し他方の表示領域にその一部を拡大表示するときに、一方の表示領域に表示された全体画像に含まれる被写体を拡大して他方の表示領域に表示することを目的とする。
【課題を解決するための手段】
【０００７】
この目的を達成するために、本発明の画像表示装置は、表示画面を備えた表示部と、前記表示部の表示画面内にアクティブ状態の表示領域と非アクティブ状態の表示領域を構成する２画面表示モードを備えた制御部と、記録データが記録されている画像記憶部と、前記アクティブ状態の表示領域に表示する画像を前記画像記憶部に記録された記録データから選択する画像指示部と、を備え、前記制御部は、前記アクティブ状態の表示領域に前記画像指示部で指示された記録データを表示データに変換して表示し、前記画像指示部で指示された記録データまたは前記画像指示部で指示された記録データから変換された表示データから被写体を検出し、前記画像指示部で指示された記録データまたは前記画像指示部で指示された記録データから変換された表示データから前記検出された被写体の拡大または縮小画像を生成し、前記非アクティブ状態の表示領域に前記生成された被写体の拡大または縮小画像を表示する、ことを特徴とする。
【０００８】
また、前記制御部は、前記アクティブ状態の表示領域に前記画像指示部で指示された記録データを表示データに変換して表示し、前記画像指示部で指示された記録データまたは前記画像指示部で指示された記録データから変換された表示データから複数の被写体を検出したときに、前記画像指示部で指示された記録データまたは前記画像指示部で指示された記録データから変換された表示データから前記検出された複数の被写体の拡大または縮小画像を生成し、前記非アクティブ状態の表示領域に前記生成された複数の被写体の拡大または縮小画像を並列表示する、ことを特徴としてもよい。
【０００９】
また、前記制御部が前記画像指示部で指示された記録データまたは前記画像指示部で指示された記録データから変換された表示データから複数の被写体を検出したときに、前記検出された複数の被写体から一つまたは複数の被写体を選択する被写体選択部、をさらに備え、前記制御部は、前記アクティブ状態の表示領域に前記画像指示部で指示された記録データを表示データに変換して表示し、前記画像指示部で指示された記録データまたは前記画像指示部で指示された記録データから変換された表示データから複数の被写体を検出したときに、前記アクティブ状態の表示領域に表示された画像に前記検出された複数の被写体を選択可能に指示し、前記画像指示部で指示された記録データまたは前記画像指示部で指示された記録データから変換された表示データから前記被写体選択部で選択された一つまたは複数の被写体の拡大または縮小画像を生成し、前記非アクティブ状態の表示領域に前記生成された一つまたは複数の被写体の拡大または縮小画像を選択表示する、ことを特徴としてもよい。
【００１０】
本発明の画像表示装置は、表示画面を備えた表示部と、前記表示部の表示画面内にアクティブ状態の表示領域と非アクティブ状態の表示領域を構成する２画面表示モードを備えた制御部と、記録データが記録されている画像記憶部と、前記アクティブ状態の表示領域に表示する画像を前記画像記憶部に記録された記録データの一部または全部から順次指示する画像順次指示部と、を備え、前記制御部は、前記アクティブ状態の表示領域に前記画像順次指示部で指示された記録データを表示データに変換して表示し、前記画像順次指示部で指示された記録データまたは前記画像順次指示部で指示された記録データから変換された表示データから被写体を検出し、前記画像順次指示部で指示された記録データまたは前記画像順次指示部で指示された記録データから変換された表示データから前記検出された被写体の拡大または縮小画像を生成し、前記非アクティブ状態の表示領域に前記生成された被写体の拡大または縮小画像を表示する、ことを特徴としてもよい。
【００１１】
また、前記制御部は、前記アクティブ状態の表示領域に前記画像順次指示部で指示された記録データを表示データに変換して表示し、前記画像順次指示部で指示された記録データまたは前記画像順次指示部で指示された記録データから変換された表示データから複数の被写体を検出したときに、前記画像順次指示部で指示された記録データまたは前記画像順次指示部で指示された記録データから変換された表示データから前記検出された複数の被写体の拡大または縮小画像を生成し、前記非アクティブ状態の表示領域に前記生成された複数の被写体の拡大または縮小画像を並列表示する、ことを特徴としてもよい。
【００１２】
また、前記制御部は、前記アクティブ状態の表示領域に前記画像順次指示部で指示された記録データを表示データに変換して表示し、前記画像順次指示部で指示された記録データまたは前記画像順次指示部で指示された記録データから変換された表示データから複数の被写体を検出したときに、前記画像順次指示部で指示された記録データまたは前記画像順次指示部で指示された記録データから変換された表示データから前記検出された複数の被写体の拡大または縮小画像を生成し、前記非アクティブ状態の表示領域に前記生成された複数の被写体の拡大または縮小画像を順次表示する、ことを特徴としてもよい。
【００１３】
また、前記制御部は、前記画像順次指示部で指示された記録データまたは前記画像順次指示部で指示された記録データから変換された表示データから被写体を検出しなかったときに、前記アクティブ状態の表示領域に前記画像順次指示部で指示された記録データから変換された表示データを表示しない、ことを特徴としてもよい。
【００１４】
本発明の画像表示装置は、表示画面を備えた表示部と、前記表示部の表示画面内にアクティブ状態の表示領域と非アクティブ状態の表示領域を構成する２画面表示モードを備えた制御部と、記録データが記録されている画像記憶部と、前記制御部が前記画像記憶部に記録された記録データまたは前記画像記憶部に記録された記録データから変換された表示データから検出し、前記画像記憶部に記録された記録データまたは前記画像記憶部に記録された記録データから変換された表示データから生成した被写体の拡大または縮小画像を記録する被写体記憶部と、前記アクティブ状態の表示領域に表示する画像を前記被写体記憶部に記録された被写体の拡大または縮小画像から選択する被写体指示部と、を備え、前記制御部は、前記アクティブ状態の表示領域に前記被写体指示部で指示された被写体の拡大または縮小画像を表示し、前記画像記憶部に記録された記録データから前記被写体指示部で指示された被写体を含む記録データを検出し、前記非アクティブ状態の表示領域に前記検出された記録データを表示データに変換して表示する、ことを特徴としてもよい。
【００１５】
また、前記制御部は、前記アクティブ状態の表示領域に前記被写体指示部で指示された被写体の拡大または縮小画像を表示し、前記画像記憶部に記録された記録データから前記被写体指示部で指示された被写体と同一または類似する被写体を含む記録データを検出し、前記非アクティブ状態の表示領域に前記検出された記録データを表示データに変換して表示する、ことを特徴としてもよい。
【００１６】
また、前記制御部は、前記アクティブ状態の表示領域に前記被写体指示部で指示された被写体の拡大または縮小画像を表示し、前記画像記憶部に記録された記録データから複数の前記被写体指示部で指示された被写体と同一または類似する被写体を含む記録データを検出したときに、前記非アクティブ状態の表示領域に前記検出された記録データを表示データに変換して並列表示する、ことを特徴としてもよい。
【００１７】
また、前記制御部は、前記アクティブ状態の表示領域に前記被写体指示部で指示された被写体の拡大または縮小画像を表示し、前記画像記憶部に記録された記録データから複数の前記被写体指示部で指示された被写体と同一または類似する被写体を含む記録データを検出したときに、前記非アクティブ状態の表示領域に前記検出された記録データを表示データに変換して順次表示する、ことを特徴としてもよい。
【００１８】
本発明の画像表示装置は、表示画面を備えた表示部と、前記表示部の表示画面内にアクティブ状態の表示領域と非アクティブ状態の表示領域を構成する２画面表示モードを備えた制御部と、記録データが記録されている画像記憶部と、前記制御部が前記画像記憶部に記録された記録データまたは前記画像記憶部に記録された記録データから変換された表示データから検出し、前記画像記憶部に記録された記録データまたは前記画像記憶部に記録された記録データから変換された表示データから生成した被写体の拡大または縮小画像を記録する被写体記憶部と、前記アクティブ状態の表示領域に表示する画像を前記被写体記憶部に記録された被写体の拡大または縮小画像の一部または全部から順次指示する被写体順次指示部と、を備え、前記制御部は、前記アクティブ状態の表示領域に前記被写体順次指示部で指示された被写体の拡大または縮小画像を表示し、前記画像記憶部に記録された記録データから前記被写体順次指示部で指示された被写体を含む記録データを検出し、前記非アクティブ状態の表示領域に前記検出された記録データを表示データに変換して表示する、ことを特徴としてもよい。
【００１９】
また、前記制御部は、前記アクティブ状態の表示領域に記録データを表示データに変換して表示し、前記表示データから被写体を検出しなかったときに、前記記録データから被写体を検出する、ことを特徴としてもよい。
【００２０】
また、前記制御部が記録データまたは表示データのいずれから被写体を検出するかを選択する検出選択部、をさらに備え、前記制御部は、前記アクティブ状態の表示領域に記録データを表示データに変換して表示し、前記検出選択部で選択された前記記録データまたは前記表示データのいずれかから被写体を検出する、ことを特徴としてもよい。
【００２１】
また、前記制御部は、前記アクティブ状態の表示領域に記録データを表示データに変換して表示し、前記記録データまたは前記表示データから被写体を検出しなかったときに、
前記非アクティブ状態の表示領域に被写体を検出しなかったこと示す情報を表示する、ことを特徴としてもよい。
【００２２】
また、前記制御部は、前記アクティブ状態の表示領域に記録データを表示データに変換して表示し、前記記録データまたは前記表示データから被写体を検出し、前記検出された被写体が所定の大きさより大きいときは前記表示データから前記検出された被写体の拡大または縮小画像を生成し、前記検出された被写体が所定の大きさより小さいときは前記記録データから前記検出された被写体の拡大または縮小画像を生成する、ことを特徴としてもよい。
【００２３】
また、前記制御部は、前記アクティブ状態の表示領域に記録データを表示データに変換して表示し、前記記録データまたは前記表示データから被写体を検出し、前記表示データから前記検出された被写体の縮小画像を生成し、前記記録データから前記検出された被写体の拡大画像を生成する、ことを特徴としてもよい。
【００２４】
また、前記制御部が記録データまたは表示データのいずれから被写体の拡大または縮小画像を生成するかを選択する生成選択部、をさらに備え、前記制御部は、前記アクティブ状態の表示領域に記録データを表示データに変換して表示し、前記記録データまたは前記表示データから被写体を検出し、前記生成選択部で選択された前記記録データまたは前記表示データのいずれかから前記検出された被写体の拡大または縮小画像を生成する、ことを特徴としてもよい。
【００２５】
また、前記表示領域のいずれを前記アクティブ状態の表示領域とするかを選択する領域選択部、をさらに備え、前記制御部は、前記領域選択部によって選択された表示領域を前記アクティブ状態の表示領域とし、前記領域選択部によって選択されなかった表示領域を前記非アクティブ状態の表示領域とする、ことを特徴としてもよい。
【００２６】
また、前記画像記憶部は、記録データが記録された記憶媒体を着脱可能な記憶媒体装着部である、ことを特徴としてもよい。
【００２７】
また、前記表示部は、表示装置を接続可能な表示装置インタフェース部である、ことを特徴としてもよい。
【００２８】
また、前記表示部は、少なくとも二つの表示画面から構成され、一方の表示画面が前記アクティブ状態の表示領域として、他方の表示画面が前記非アクティブ状態の表示領域として機能する、ことを特徴としてもよい。
【００２９】
また、前記被写体は、人物、動物、植物、文字、図形、標準的な形状が認知可能な物体のいずれかまたは複数である、ことを特徴としてもよい。
【００３０】
本発明の画像表示プログラムは、コンピュータを、記録データを選択する画像指示手段と、表示画面内にアクティブ状態の表示領域と非アクティブ状態の表示領域を構成し、前記アクティブ状態の表示領域に前記画像指示手段で指示された記録データを表示データに変換して表示し、前記画像指示手段で指示された記録データまたは前記画像指示手段で指示された記録データから変換された表示データから被写体を検出し、前記画像指示手段で指示された記録データまたは前記画像指示手段で指示された記録データから変換された表示データから前記検出された被写体の拡大または縮小画像を生成し、前記非アクティブ状態の表示領域に前記生成された被写体の拡大または縮小画像を表示する制御手段と、して機能させる、ことを特徴とする。
【００３１】
本発明の画像表示プログラムは、コンピュータを、被写体の拡大または縮小画像を選択する被写体指示手段と、表示画面内にアクティブ状態の表示領域と非アクティブ状態の表示領域を構成し、前記アクティブ状態の表示領域に前記被写体指示手段で指示された被写体の拡大または縮小画像を表示し、前記被写体指示手段で指示された被写体を含む記録データを検出し、前記非アクティブ状態の表示領域に前記検出された記録データを表示データに変換して表示する制御手段と、して機能させる、ことを特徴としてもよい。
【発明の効果】
【００３２】
本発明は、アクティブ状態の表示領域に表示された画像に含まれる被写体の拡大または縮小画像を非アクティブ状態の表示領域に表示するので、全体画像から拡大したい部分を選択したり拡大率を指定したりする煩雑な操作が不要になるという効果を奏する。
【００３３】
また、アクティブ状態の表示領域に表示された画像に複数の被写体が含まれているときに、複数の被写体の拡大または縮小画像を非アクティブ状態の表示領域に並列表示するので、全体画像から複数の拡大したい部分を順次選択する煩雑な操作が不要になるという効果を奏する。
【００３４】
また、アクティブ状態の表示領域に表示された画像に複数の被写体が含まれているときに、被写体選択部で選択された被写体の拡大または縮小画像を非アクティブ状態の表示領域に選択表示するので、拡大したい部分を容易に選択できるという効果を奏する。
【００３５】
本発明は、アクティブ状態の表示領域に順次表示された画像に含まれる被写体の拡大または縮小画像を非アクティブ状態の表示領域に表示するので、いわゆるスライドショーにおいて全体画像と被写体を同時に鑑賞できるという効果を奏する。
【００３６】
また、アクティブ状態の表示領域に順次表示された画像に複数の被写体が含まれているときに、複数の被写体の拡大または縮小画像を非アクティブ状態の表示領域に並列表示するので、スライドショーにおいて全体画像と複数の被写体を同時に鑑賞できるという効果を奏する。
【００３７】
また、アクティブ状態の表示領域に順次表示された画像に複数の被写体が含まれているときに、複数の被写体の拡大または縮小画像を非アクティブ状態の表示領域に順次表示するので、スライドショーにおいて全体画像と順次表示される複数の被写体を同時に鑑賞できるという効果を奏する。
【００３８】
また、アクティブ状態の表示領域に次に表示されるべき画像に被写体が含まれていないときに、アクティブ状態の表示領域に次に表示されるべき画像を表示しないので、スライドショーにおいて拡大したい部分が含まれない、すなわち注目すべき被写体が存在しない画像を表示しないという効果を奏する。
【００３９】
本発明は、アクティブ状態の表示領域に表示された被写体の拡大または縮小画像を含む画像を非アクティブ状態の表示領域に表示するので、アクティブ状態の表示領域に表示された被写体を含む画像を容易に検出できるという効果を奏する。
【００４０】
また、アクティブ状態の表示領域に表示された被写体の拡大または縮小画像と同一または類似する被写体を含む画像を非アクティブ状態の表示領域に表示するので、アクティブ状態の表示領域に表示された被写体と同一または類似する被写体を含む画像を容易に検出できるという効果を奏する。
【００４１】
また、アクティブ状態の表示領域に表示された被写体の拡大または縮小画像と同一または類似する被写体を含む画像を非アクティブ状態の表示領域に並列表示するので、アクティブ状態の表示領域に表示された被写体と同一または類似する被写体を含む複数の画像を同時に確認できるという効果を奏する。
【００４２】
また、アクティブ状態の表示領域に表示された被写体の拡大または縮小画像と同一または類似する被写体を含む画像を非アクティブ状態の表示領域に順次表示するので、アクティブ状態の表示領域に表示された被写体と同一または類似する被写体を含む複数の画像を容易に検出できるという効果を奏する。
【００４３】
本発明は、アクティブ状態の表示領域に順次表示された被写体の拡大または縮小画像を含む画像を非アクティブ状態の表示領域に表示するので、スライドショーにおいて被写体と全体画像を同時に鑑賞できるという効果を奏する。
【００４４】
また、被写体の検出において表示データから被写体を検出しなかったときに、記録データから被写体を検出するので、よりデータ量の少ない表示データから優先して被写体を検出することによって被写体の検出に要する時間を短縮するという効果を奏する。
【００４５】
また、被写体の検出において検出選択部で選択された記録データまたは表示データのいずれかから被写体を検出するので、よりデータ量の少ない表示データから被写体を検出することによって被写体の検出に要する時間を短縮するか、よりデータ量の多い記録データから被写体を検出することによって被写体の検出精度を向上するか、を選択できるという効果を奏する。
【００４６】
また、アクティブ状態の表示領域に表示された画像に被写体が含まれなかったときに、非アクティブ状態の表示領域に被写体を検出しなかったことを示す情報を表示するので、アクティブ状態の表示領域に表示された画像に被写体が含まれなかったことを明確に報知するという効果を奏する。
【００４７】
また、被写体の拡大または縮小画像の生成において被写体が所定の大きさより大きいときは表示データから被写体を生成し、被写体が所定の大きさより小さいときは記録データから被写体を生成するので、被写体が所定の大きさより大きいときはよりデータ量の少ない表示データから被写体を生成することによって被写体の生成に要する時間を短縮し、被写体が所定の大きさより小さいときはよりデータ量の多い記録データから被写体を生成することによって被写体の生成精度を向上するという効果を奏する。
【００４８】
また、被写体の拡大または縮小画像の生成において表示データから被写体の縮小画像を生成し記録データから被写体の拡大画像を生成するので、解像度が下がる傾向にある縮小画像の生成ではよりデータ量の少ない表示データから被写体を生成することによって被写体の生成に要する時間を短縮するという効果を奏する。
【００４９】
また、被写体の拡大または縮小画像の生成において生成選択部で選択された記録データまたは表示データのいずれかから被写体を生成するので、よりデータ量の少ない表示データから被写体を生成することによって被写体の生成に要する時間を短縮するか、よりデータ量の多い記録データから被写体を生成することによって被写体の生成精度を向上するか、を選択できるという効果を奏する。
【００５０】
また、領域選択部によって選択された表示領域をアクティブ状態の表示領域とし、領域選択部によって選択されなかった表示領域を非アクティブ状態の表示領域とするので、アクティブ状態の表示領域と非アクティブ状態の表示領域を容易に入れ替えることができるという効果を奏する。
【００５１】
また、画像記憶部は、画像表示装置に内蔵されたメモリであっても着脱可能なメモリカードなどであってもよい。メモリカードなどであれば、他の装置で撮影された画像に対しても本発明の効果を奏することができる。
【００５２】
また、表示部は、画像表示装置に備えられていてもよいし画像表示装置には表示装置インタフェース部を備え外部の表示装置を接続できるようにしてもよい。表示装置インタフェースを備えていれば、外部の大型表示装置、例えばプラズマテレビなどの大画面で全体画像と被写体を同時に鑑賞できるという効果を奏する。
【００５３】
また、表示部は、一つの表示画面を二つの表示領域に分割してもよいし二つの表示画面を備えていてもよい。二つの表示画面を備えていれば、画像表示装置に最適なレイアウトで表示画面を配置できるという効果を奏する。
【００５４】
また、被写体は、人物、動物、植物、文字、図形、標準的な形状が認知可能な物体のいずれかまたは複数であればよい。拡大したい部分を複数のカテゴリから選択できるので、より使用者の嗜好にあった被写体の選択ができるという効果を奏する。
【発明を実施するための最良の形態】
【００５５】
（実施の形態１）
（１．構成）
以下、本発明の第１の実施の形態を、図を用いて詳述する。本実施の形態では、本発明を画像表示装置であるデジタルスチルカメラに適用し、再生機能を使って画像を表示するときに、１枚の画像から被写体を検出し、その被写体のみの画像とその被写体を含む元の画像の２枚の画像を同時に表示する場合について説明する。
【００５６】
図１は、本実施の形態におけるデジタルスチルカメラの回路構成を示すブロック図である。モードダイアル１２が撮影モードに設定されているときに、使用者がシャッタ釦１３を押下すると、ＣＰＵ７がそれを検知し、ＣＣＤ（Ｃｈａｒｇｅ  Ｃｏｕｐｌｅｄ  Ｄｅｖｉｃｅ）駆動回路３に撮影動作を指示する。レンズ１によって集められた光が、ＣＣＤ駆動回路３によって駆動されるＣＣＤ２に入り、電気的信号である画像信号に変換される。ＣＣＤ２で生成された画像信号は、Ａ／Ｄ変換回路４によって、デジタル信号である画像データへと変換され、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）５に記録される。ＳＤＲＡＭ５に記録された画像データは、画像信号処理回路６の信号処理部６ａで所定の処理が施された後に、記録データとしてカードコネクタ１０に挿入されたメモリカード１１に記録される。
【００５７】
次に、モードダイアル１２が再生モードに設定されているときに、使用者が画像選択釦１４で画像を選択すると、ＣＰＵ７がそれを検知し、画像信号処理回路６の画像指示部６ｂに画像選択釦１４で選択された画像の表示を指示する。画像指示部６ｂは、カードコネクタ１０に挿入されたメモリカード１１から指示された画像の記録データを読み出して画像信号処理回路６の制御部６ｃに出力する。制御部６ｃは、液晶ディスプレイ８の表示画面内にアクティブ状態の表示領域８ａと非アクティブ状態の表示領域８ｂを構成し、アクティブ状態の表示領域８ａに画像指示部６ｂから出力された記録データを表示データに変換して表示し、非アクティブ状態の表示領域８ｂに画像指示部６ｂから出力された記録データから検出された被写体の画像を表示する。制御部６ｃから出力された記録データから複数の被写体が検出されたときは、被写体選択釦１５によって、非アクティブ状態の表示領域８ｂに表示する被写体を選択することができる。
【００５８】
モードダイアル１２は、回転式のダイアルであって、撮影モードと再生モードの他に、撮影モードのサブモードであるシーン別撮影モード、絞り優先撮影モード、シャッタ速度優先撮影モード、オート撮影モード、プログラム撮影モード、動画撮影モードなどを切り替えることができる。
【００５９】
画像選択釦１４、被写体選択釦１５は、並列に表示された対象を選択するための十字キーである。メニュー選択釦１６は、各モードにおいて設定可能な項目を表示するためのメニュー釦と設定可能な項目を選択するための十字キーと選択した項目を決定するための決定釦で構成される。液晶ディスプレイ８の表示画面内にアクティブ状態の表示領域８ａと非アクティブ状態の表示領域８ｂを構成する２画面表示モードとするか１画面表示モードとするかの切り換えは、モードダイアル１２が再生モードに設定されているときに、メニュー選択釦１６を操作することによって行う。画像選択釦１４、被写体選択釦１５、メニュー選択釦１６の十字キーは、一つの十字キーで兼用することができる。
【００６０】
Ａ／Ｄ変換回路４は、画像信号のノイズ成分を除去するＣＤＳ（Ｃｏｒｒｅｌａｔｅｄ  Ｄｏｕｂｌｅ  Ｓａｍｐｌｉｎｇ）回路、画像信号の大きさを調整するＡＧＣ（Ａｕｔｏｍａｔｉｃ  Ｇａｉｎ  Ｃｏｎｔｒｏｌ）アンプ、アナログ信号をデジタル信号に変換するＡ／Ｄコンバータなどを含むアナログＬＳＩである。画像信号処理回路６は、一つまたは複数のデジタルＬＳＩであって、ＣＰＵ７を内蔵してもよい。
（２．動作）
（２．１  ディレクトリ構成）
記録データが記録されるメモリカード１１のディレクトリ構成を説明する。図２は、メモリカード１１に記録された記録データのディレクトリ構成例を示す図である。ルート２１は、ディレクトリ構成の最上位ディレクトリであり、すべてのディレクトリやファイルの記録は、この階層から行われる。ＤＣＩＭ２２は、ＤＣＦ（Ｄｅｓｉｇｎ  ｒｕｌｅ  ｆｏｒ  Ｃａｍｅｒａ  Ｆｉｌｅ  ｓｙｓｔｅｍ）規格によって規定されているディレクトリである。１００＿ＰＡＮＡ２３、１０１＿ＰＡＮＡ２５は、記録データを記録するためのディレクトリであり、ＤＣＩＭ２２の下の階層に作成される。ＤＣＦ規格によって、ディレクトリ名は、１００〜９９９までの３桁の数字と５文字の自由文字で構成するよう規定されている。本ディレクトリ構成例では、３桁の数字として１００、１０１を、５文字の自由文字として＿ＰＡＮＡを使用した例を示している。１００＿ＰＡＮＡ２３の下の階層に記録されたＰ１０００００１．ｊｐｇ〜Ｐ１０００００３．ｊｐｇ２４と１０１＿ＰＡＮＡ２５の下の階層に記録されたＰ１０１０００１．ｊｐｇ２６は、記録データである。ＤＣＦ規格によって、記録データのファイル名は、４文字の自由文字と０００１〜９９９９までの４桁の数字から構成するよう規定されている。本ディレクトリ構成例では、４文字の自由文字としてＰ１００、Ｐ１０１を、４桁の数字として０００１〜０００３を使用した例を示している。ＰＲＩＶＡＴＥ２７は、後述のファイル管理情報ファイル２８を記録するディレクトリである。
【００６１】
図３は、ファイル管理情報と記録データの座標系を示す図である。図３（ａ）は、ファイル管理情報を示す図である。ファイル管理情報は、ファイル管理情報ファイル２８として、メモリカード１１のＰＲＩＶＡＴＥ２７ディレクトリに記録される。ファイル番号は、記録データ２４、２６のファイル名のうち４桁の数字で規定される部分である。ディレクトリ番号は、画像ファイルを記録するためのディレクトリ２３、２５のディレクトリ名のうち３桁の数字で規定される部分である。
【００６２】
管理情報は、その記録データに対して、すでに被写体の検出が行われているときに記録される。記録される管理情報は、その記録データから検出された被写体の数と位置座標と大きさである。図３（ｂ）は、記録データ３１の座標系を示す図である。記録データ３１に対して、左下を原点として、水平方向にｘ軸、垂直方向にｙ軸を持つ座標系を定義する。記録データ３１の大きさは、ｘ軸方向に３０００ドット、ｙ軸方向に２０００ドットである。被写体として人間の顔３２を検出すると、被写体検出枠３３が求められる。被写体検出枠３３の幅をＨドット、高さをＶドットと定義する。被写体検出枠３３の幅Ｈと高さＶは、検出された被写体の大きさによって変わる。
【００６３】
管理情報の被写体の数は、記録データ３１から検出された被写体である人間の顔３２の数である。管理情報の被写体の位置座標（ｘ，ｙ）は、被写体検出枠３３の左下の点３４の位置座標である。管理情報の被写体の大きさ（Ｈ，Ｖ）は、被写体検出枠３３の幅Ｈと高さＶである。
【００６４】
例えば、ファイル番号０００１、ディレクトリ番号１００の記録データの管理情報は、被写体の数が１、被写体の位置座標が（１５１４，８６７）、被写体の大きさが（５９９，７３４）である。／（スラッシュ）は、被写体の数と位置座標（ｘ，ｙ）と大きさ（Ｈ，Ｖ）を分離するセパレータである。ファイル番号０００２、ディレクトリ番号１００の記録データの管理情報は、その記録データから被写体が検出されなかったか、まだその記録データから被写体の検出が行われていないので、セパレータのみである。ファイル番号０００１、ディレクトリ番号１０１の記録データの管理情報は、被写体の数が２、第１の被写体の位置座標が（９７６，８３６）、第２の被写体の位置座標が（１８９９，８４７）、第１の被写体の大きさが（４７７，５０９）、第２の被写体の大きさが（４５６，４９７）である。
（２．２  表示動作）
２画面表示モードにおいて、アクティブ状態の表示領域８ａに表示された画像から検出された被写体の拡大画像を非アクティブ状態の表示領域８ｂに表示するときの動作について説明する。アクティブ状態の表示領域８ａに表示された画像から検出された被写体の大きさによっては、必ずしも拡大画像ではなく縮小画像となる場合も考えられるが、本実施例では、被写体の大きさが比較的小さく、非アクティブ状態の表示領域８ｂに拡大画像を表示する場合について説明する。
【００６５】
図４は、アクティブ状態の表示領域８ａに表示された画像から検出された被写体の拡大画像を非アクティブ状態の表示領域８ｂに表示するときの動作を示すフローチャートである。画像選択釦１４によって、アクティブ状態の表示領域８ａに表示させたい全体画像を選択する（Ｓ１０１）。選択された全体画像は、アクティブ状態の表示領域８ａに表示される。どちらの表示領域がアクティブ状態であるかは、アクティブ状態の表示領域８ａの周りを強調表示することによって、視覚的に判断できる。
【００６６】
選択された全体画像から被写体の検出を行う（Ｓ１０２）。被写体の検出については様々な方法が考えられるが、ここでは検出する被写体を人間の顔の場合について説明する。人間の顔の検出方法についても、様々な方法が考えられる。例えば、あらかじめサンプリングされた様々な人間の顔の画像群とそうでない画像群からある特徴量を抽出し、その特徴量から適当な分類器を学習させ、その学習結果を画像信号処理回路６の制御部６ｃにある分類器（図示せず）に与えることにより、制御部６ｃによる人間の顔の検出を実現する方法がある。分類器としては、決定木やＮＮ（Ｎｅｕｒａｌ  Ｎｅｔｗｏｒｋ）、ＳＶＭ（Ｓｕｐｐｏｒｔ  Ｖｅｃｔｏｒ  Ｍａｃｈｉｎｅ）などがある。また、分類器を使う方法以外にも、例えば、テンプレートマッチング法などの人間の顔の検出方法がある。
【００６７】
被写体の検出（Ｓ１０２）を行うと、選択された全体画像から検出された被写体の数と位置座標と大きさを、その全体画像の管理情報としてファイル管理情報ファイル２８に記録する。ファイル管理情報ファイル２８に管理情報が記録された全体画像は、次回から被写体の検出（Ｓ１０２）が不要になる。
【００６８】
被写体の検出（Ｓ１０２）が行われた後、選択された全体画像から被写体が検出されたとき（Ｓ１０３でＹｅｓ）は、検出された被写体の拡大画像を非アクティブ状態の表示領域８ｂに表示する（Ｓ１０４）。図５は、検出された被写体の拡大画像を非アクティブ状態の表示領域８ｂに表示したときの液晶ディスプレイ８の表示例を示す図である。周りを強調表示されたアクティブ状態の表示領域８ａには、太陽と山と人間の顔を含む選択された全体画像が表示されている。非アクティブ状態の表示領域８ｂには、検出された被写体である人間の顔が表示されている。
【００６９】
被写体の検出（Ｓ１０２）が行われた後、選択された全体画像から被写体が検出されなかったとき（Ｓ１０３でＮｏ）は、非アクティブ状態の表示領域８ｂに被写体が検出されなかったことを示す表示を行う（Ｓ１０５）。図６は、被写体が検出されなかったことを非アクティブ状態の表示領域８ｂに表示したときの液晶ディスプレイ８の表示例を示す図である。周りを強調表示されたアクティブ状態の表示領域８ａには、太陽と山を含む選択された全体画像が表示されている。非アクティブ状態の表示領域８ｂには、被写体が検出されなかったことを示す「Ｎｏｔ  Ｄｅｔｅｃｔｅｄ」の文字が表示されている。
【００７０】
被写体の検出（Ｓ１０２）が行われた後、選択された全体画像から複数の被写体が検出されたとき（Ｓ１０３でＹｅｓ）は、検出された複数の被写体の拡大画像を非アクティブ状態の表示領域８ｂに二通りの方法で表示する（Ｓ１０４）ことができる。図７は、検出された複数の被写体の拡大画像を非アクティブ状態の表示領域８ｂに表示したときの液晶ディスプレイ８の表示例を示す図である。
【００７１】
図７（ａ）は、検出された複数の被写体の拡大画像を非アクティブ状態の表示領域８ｂに表示する第１の表示方法を示す図である。周りを強調表示されたアクティブ状態の表示領域８ａには、太陽と山と二人の人間の顔８ｃ、８ｄを含む選択された全体画像が表示されている。人間の顔８ｄには、選択されていることを示す被写体選択枠８ｅが表示されている。被写体選択枠８ｅは、被写体選択釦１５によって、人間の顔８ｃに切り替えることができる。非アクティブ状態の表示領域８ｂには、被写体選択釦１５によって選択され、被写体選択枠８ｅが表示された人間の顔８ｄの拡大画像が表示されている。
【００７２】
図７（ａ）では、一つの被写体である人間の顔８ｄを選択する例を示したが、被写体選択釦１５によって、複数の被写体を選択できるようにしてもよい。図７（ｂ）は、検出された複数の被写体の拡大画像を非アクティブ状態の表示領域８ｂに表示する第１の表示方法において、複数の被写体を選択した状態を示す図である。周りを強調表示されたアクティブ状態の表示領域８ａには、太陽と山と三人の人間の顔８ｃ、８ｄ、８ｆを含む選択された全体画像が表示されている。人間の顔８ｃ、８ｄには、選択されていることを示す被写体選択枠８ｅが表示されている。非アクティブ状態の表示領域８ｂには、被写体選択釦１５によって選択され、被写体選択枠８ｅが表示された人間の顔８ｃ、８ｄの拡大画像が並列表示されている。非アクティブ状態の表示領域８ｂに表示された人間の顔８ｃ、８ｄの拡大画像の大きさは、非アクティブ状態の表示領域８ｂの大きさに合わせて調整される。
【００７３】
図７（ｃ）は、検出された複数の被写体の拡大画像を非アクティブ状態の表示領域８ｂに表示する第２の表示方法を示す図である。周りを強調表示されたアクティブ状態の表示領域８ａには、図７（ａ）と同じ全体画像が表示されている。人間の顔８ｃ、８ｄには、選択されていることを示す被写体選択枠８ｅは表示されない。非アクティブ状態の表示領域８ｂには、検出された複数の被写体である人間の顔８ｃ、８ｄがともに並列表示されている。図７（ｂ）と同様に、非アクティブ状態の表示領域８ｂに表示された人間の顔８ｃ、８ｄの拡大画像の大きさは、非アクティブ状態の表示領域８ｂの大きさに合わせて調整される。
【００７４】
選択された全体画像から複数の被写体が検出されたとき（Ｓ１０３でＹｅｓ）に、第１の表示方法で被写体の拡大画像を表示するか、第２の表示方法で被写体の拡大画像を表示するかは、メニュー選択釦１６によって切り替えることができる。
【００７５】
メニュー選択釦１６によって、次の全体画像を表示する指示を行ったとき（Ｓ１０６でＹｅｓ）は、次の全体画像について、Ｓ１０１からＳ１０６の動作を繰り返す。メニュー選択釦１６によって、終了する指示を行ったとき（Ｓ１０６でＮｏ）は、アクティブ状態の表示領域８ａに表示された画像から検出された被写体の拡大画像を非アクティブ状態の表示領域８ｂに表示する動作を終了する。
（実施の形態２）
（１．構成）
以下、本発明の第２の実施の形態を、図を用いて詳述する。本実施の形態では、本発明を画像表示装置であるデジタルスチルカメラに適用し、再生機能を使って画像を順次表示するスライドショーを実行するときに、１枚の画像から被写体を検出し、その被写体のみの画像とその被写体を含む元の画像の２枚の画像を同時に表示する場合について説明する。
【００７６】
図８は、本実施の形態におけるデジタルスチルカメラの回路構成を示すブロック図である。第１の実施の形態におけるデジタルスチルカメラの回路構成を示すブロック図である図１との相違は、画像信号処理回路６の画像指示部６ｂが、画像順次指示部６ｄを備えることである。その他の構成は、図１と同様であるので、説明を省略する。
（２．動作）
（２．１  表示動作）
２画面表示モードにおいて、アクティブ状態の表示領域８ａに表示された画像から検出された被写体の拡大画像を非アクティブ状態の表示領域８ｂに順次表示するときの動作について説明する。アクティブ状態の表示領域８ａに表示された画像から検出された被写体の大きさによっては、必ずしも拡大画像ではなく縮小画像となる場合も考えられるが、本発明の第１の実施の形態と同様に、被写体の大きさが比較的小さく、非アクティブ状態の表示領域８ｂに拡大画像を表示する場合について説明する。
【００７７】
図９は、アクティブ状態の表示領域８ａに表示された画像から検出された被写体の拡大画像を非アクティブ状態の表示領域８ｂに順次表示するときの動作を示すフローチャートである。画像順次指示部６ｄが、最初に表示する全体画像を選択する（Ｓ２０１）。選択された全体画像は、まだアクティブ状態の表示領域８ａに表示されない。どちらの表示領域がアクティブ状態であるかは、本発明の第１の実施の形態と同様に、アクティブ状態の表示領域８ａの周りを強調表示することによって、視覚的に判断できる。
【００７８】
選択された全体画像について、被写体の検出が行われているかどうかを確認する（Ｓ２０２）。メモリカード１１のＰＲＩＶＡＴＥ２７ディレクトリに記録されたファイル管理情報ファイル２８に選択された全体画像の管理情報が記録されているときは、被写体の検出が行われている（Ｓ２０２でＹｅｓ）として、被写体の検出（Ｓ２０３）を行わない。一方、ファイル管理情報ファイル２８に選択された全体画像の管理情報が記録されていないときは、被写体の検出が行われていない（Ｓ２０２でＮｏ）として、被写体の検出（Ｓ２０３）を行う。
【００７９】
被写体の検出（Ｓ２０３）は、第１の実施の形態におけるアクティブ状態の表示領域８ａに表示された画像から検出された被写体の拡大画像を非アクティブ状態の表示領域８ｂに表示するときの動作を示すフローチャートである図４の被写体の検出（Ｓ１０２）と同様であるので、説明を省略する。
【００８０】
被写体の検出が行われ（Ｓ２０２でＹｅｓ）選択された全体画像から被写体が検出されているときと、被写体の検出（Ｓ２０３）で選択された全体画像から被写体が検出されたときは、選択された全体画像をアクティブ状態の表示領域８ａに表示する（Ｓ２０４）。続けて、または同時に検出された被写体の拡大画像を非アクティブ状態の表示領域８ｂに表示する（Ｓ２０５）。このときの液晶ディスプレイ８の表示例は、第１の実施の形態における検出された被写体の拡大画像を非アクティブ状態の表示領域８ｂに表示したときの液晶ディスプレイ８の表示例を示す図である図５と同様であるので、説明を省略する。
【００８１】
一方、被写体の検出が行われ（Ｓ２０２でＹｅｓ）選択された全体画像から被写体が検出されていないときと、被写体の検出（Ｓ２０３）で選択された全体画像から被写体が検出されなかったときは、選択された全体画像をアクティブ状態の表示領域８ａに表示しない（Ｓ２０４）。また、非アクティブ状態の表示領域８ｂに検出された被写体の拡大画像を表示する（Ｓ２０５）ことはできない。すなわち、被写体が検出されなかった選択された全体画像については、選択された全体画像の表示（Ｓ２０４）と検出された被写体の拡大画像の表示（Ｓ２０５）を行わない。
【００８２】
被写体の検出が行われ（Ｓ２０２でＹｅｓ）選択された全体画像から複数の被写体が検出されているときと、被写体の検出（Ｓ２０３）で選択された全体画像から複数の被写体が検出されたときは、検出された複数の被写体の拡大画像を非アクティブ状態の表示領域８ｂに二通りの方法で表示する（Ｓ２０５）ことができる。
【００８３】
図１０は、検出された複数の被写体の拡大画像を非アクティブ状態の表示領域８ｂに表示したときの液晶ディスプレイ８の第１の表示方法を示す図である。周りを強調表示されたアクティブ状態の表示領域８ａには、三人の人間の顔８ｃ、８ｄ、８ｆを含む選択された全体画像が表示されている。
【００８４】
図１０（ａ）は選択された全体画像についての第１の表示状態を示す図であり、図１０（ｂ）は選択された全体画像についての第２の表示状態を示す図であり、図１０（ｃ）は選択された全体画像についての第３の表示状態を示す図である。画像順次指示部６ｄの指示によって、アクティブ状態の表示領域８ａに選択された全体画像を表示した状態で、非アクティブ状態の表示領域８ｂに、一人目の人間の顔８ｃ、二人目の人間の顔８ｆ、三人目の人間の顔８ｄを順次表示する。アクティブ状態の表示領域８ａには、非アクティブ状態の表示領域８ｂに表示されている人間の顔に選択されていることを示す被写体選択枠８ｅが表示されている。
【００８５】
なお、画像順次指示部６ｄの指示によって、非アクティブ状態の表示領域８ｂに被写体の拡大画像を順次表示する順番は、検出された被写体の位置座標にしたがって順次表示してもよいし、検出された被写体の大きさにしたがって順次表示してもよい。また、ランダムに表示してもよい。
【００８６】
検出された複数の被写体の拡大画像を非アクティブ状態の表示領域８ｂに表示したときの液晶ディスプレイ８の第２の表示方法は、第１の実施の形態における検出された複数の被写体の拡大画像を非アクティブ状態の表示領域８ｂに並列表示する第２の表示方法を示す図である図７（ｃ）と同様であるので、説明を省略する。
【００８７】
被写体の検出が行われ（Ｓ２０２でＹｅｓ）選択された全体画像から複数の被写体が検出されているときと、被写体の検出（Ｓ２０３）で選択された全体画像から複数の被写体が検出されたときに、第１の表示方法で被写体を表示するか、第２の表示方法で被写体を表示するかは、メニュー選択釦１６によって切り替えることができる。
【００８８】
画像順次指示部６ｄが、全画像の表示が完了したかどうかを確認する（Ｓ２０６）。全画像の表示が完了していないとき（Ｓ２０６でＮｏ）は、次に表示する全体画像を選択（Ｓ２０１）して、Ｓ２０１からＳ２０６の動作を繰り返す。一方、全画像の表示が完了しているとき（Ｓ２０６でＹｅｓ）は、アクティブ状態の表示領域８ａに表示された画像から検出された被写体の拡大画像を非アクティブ状態の表示領域８ｂに順次表示する動作を終了する。
【００８９】
なお、画像順次指示部６ｄは、メモリカード１１に記録された全画像を表示するようにしてもよいし、所定の画像群のみを表示するようにしてもよい。また、画像順次指示部６ｄは、メモリカード１１に記録された画像を撮影日時の昇順または降順で表示してもよいし、ランダムに表示してもよい。
（実施の形態３）
（１．構成）
以下、本発明の第３の実施の形態を、図を用いて詳述する。本実施の形態では、本発明を画像表示装置であるデジタルスチルカメラに適用し、再生機能を使って画像を表示するときに、すでに検出された被写体のみの画像とその被写体を含む元の画像の２枚の画像を同時に表示する場合について説明する。
【００９０】
図１１は、本実施の形態におけるデジタルスチルカメラの回路構成を示すブロック図である。第１の実施の形態におけるデジタルスチルカメラの回路構成を示すブロック図である図１との相違は、画像信号処理回路６の画像指示部６ｂが、被写体指示部６ｅを備えることと、画像信号処理回路６の制御部６ｃで検出された被写体の拡大または縮小画像を記録する被写体記憶部１７を備えることである。その他の構成は、図１と同様であるので、説明を省略する。
【００９１】
なお、本実施例では被写体記憶部１７が別途備えられている例を示したが、被写体記憶部１７は、メモリカード１１の記憶領域の一部を使用してもよいし、画像信号処理回路６内のエンベディッドメモリ（図示せず）を使用してもよい。
【００９２】
モードダイアル１２が再生モードに設定されているときに、使用者が被写体選択釦１５で被写体を選択すると、ＣＰＵ７がそれを検知し、画像信号処理回路６の被写体指示部６ｅに被写体選択釦１５で選択された被写体の拡大画像の表示を指示する。被写体指示部６ｅは、被写体記憶部１７から指示された被写体の拡大または縮小画像を読み出して画像信号処理回路６の制御部６ｃに出力する。制御部６ｃは、液晶ディスプレイ８の表示画面内にアクティブ状態の表示領域８ａと非アクティブ状態の表示領域８ｂを構成し、アクティブ状態の表示領域８ａに被写体指示部６ｅから出力された被写体の拡大または縮小画像を表示し、非アクティブ状態の表示領域８ｂに被写体指示部６ｅから出力された被写体を含む全体画像の記録データを表示データに変換して表示する。被写体指示部６ｅから出力された被写体を含む複数の記録データが検出されたときは、画像選択釦１４によって、非アクティブ状態の表示領域８ｂに表示する全体画像を切り替えることができる。
（２．動作）
（２．１  表示動作）
２画面表示モードにおいて、アクティブ状態の表示領域８ａに表示された被写体の画像を含む全体画像を非アクティブ状態の表示領域８ｂに表示するときの動作について説明する。
【００９３】
図１２は、本実施の形態におけるファイル管理情報を示す図である。同じくファイル管理情報を示す図である図３（ａ）との相違は、被写体番号の項目が追加されていることである。
【００９４】
例えば、ファイル番号０００１、ディレクトリ番号１００の記録データの管理情報は、被写体の数が１、被写体の位置座標が（１５１４，８６７）、被写体の大きさが（５９９，７３４）であることを示しているが、この記録データから検出された被写体には０１＿０１という被写体番号が与えられている。ここで、＿（アンダースコア）の前の０１は最初に検出された被写体であることを、＿（アンダースコア）の後の０１は最初に検出された被写体を含む第１の画像であることを示す。
【００９５】
ファイル番号０００１、ディレクトリ番号１０１の記録データの管理情報は、被写体の数が２、第１の被写体の位置座標が（９７６，８３６）、第２の被写体の位置座標が（１８９９，８４７）、第１の被写体の大きさが（４７７，５０９）、第２の被写体の大きさが（４５６，４９７）であることを示しているが、この記録データから検出された被写体には二番目に検出された被写体を含む第２の画像であることを示す０２＿０２、三番目に検出された被写体を含む第２の画像であることを示す０３＿０２という被写体番号が与えられている。
【００９６】
ここで、二番目に検出された被写体と三番目に検出された被写体を含む第１の画像は、ファイル番号０００３、ディレクトリ番号１００の記録データであって、被写体番号０２＿０１、０３＿０１として示されている。すなわち、ファイル番号０００３、ディレクトリ番号１００の記録データに含まれている二番目に検出された被写体、三番目に検出された被写体と同一または類似の被写体が、ファイル番号０００１、ディレクトリ番号１０１の記録データにも含まれていることを示す。
【００９７】
図１３は、アクティブ状態の表示領域８ａに表示された被写体の画像を含む全体画像を非アクティブ状態の表示領域８ｂに表示するときの動作を示すフローチャートである。被写体選択釦１５によって、アクティブ状態の表示領域８ａに表示させたい被写体の画像を選択する（Ｓ３０１）。選択された被写体の画像は、アクティブ状態の表示領域８ａに表示される。どちらの表示領域がアクティブ状態であるかは、本発明の第１の実施の形態、第２の実施の形態と同様に、アクティブ状態の表示領域８ａの周りを強調表示することによって、視覚的に判断できる。
【００９８】
選択された被写体の画像を含む全体画像の検出を行う（Ｓ３０２）。選択された被写体の画像を含む全体画像は、ファイル管理情報を参照することによって、検出することができる。
【００９９】
全体画像の検出（Ｓ３０２）が行われた後、選択された被写体を含む全体画像を非アクティブ状態の表示領域８ｂに表示する（Ｓ３０３）。図１４は、検出された全体画像を非アクティブ状態の表示領域８ｂに表示したときの液晶ディスプレイ８の表示例を示す図である。周りを強調表示されたアクティブ状態の表示領域８ａには、選択された被写体である人間の顔が表示されている。非アクティブ状態の表示領域８ｂには、太陽と山と選択された被写体である人間の顔を含む検出された全体画像が表示されている。
【０１００】
全体画像の検出（Ｓ３０２）が行われた後、選択された被写体と同一または類似する被写体を含む複数の全体画像が検出されたときは、検出された複数の全体画像を非アクティブ状態の表示領域８ｂに二通りの方法で表示する（Ｓ３０３）ことができる。ここで、選択された被写体の画像から複数の全体画像が検出されたときとは、例えば、本実施の形態におけるファイル管理情報を示す図である図１２において、二番目に検出された被写体が選択された被写体であったときに、選択された被写体を含む全体画像には、ファイル番号０００３、ディレクトリ番号１００の記録データと、ファイル番号０００１、ディレクトリ番号１０１の記録データが該当する。
【０１０１】
図１５は、検出された複数の全体画像を非アクティブ状態の表示領域８ｂに表示する第１の表示方法を示す図である。図１５（ａ）は、検出された複数の全体画像を画像選択釦１４によって選択できる状態を示す図である。周りを強調表示されたアクティブ状態の表示領域８ａには、選択された被写体である人間の顔の拡大画像が表示されている。非アクティブ状態の表示領域８ｂには、検出された二つの全体画像８ｇ、８ｈが並列表示されている。検出された全体画像８ｇには、選択されていることを示す画像選択枠８ｉが表示されている。画像選択枠８ｉは、画像選択釦１４によって、検出された全体画像８ｈに切り替えることができる。図１５（ｂ）は、全体画像８ｇに選択されていることを示す画像選択枠８ｉが表示されているときに、画像選択釦１４を操作することによって、全体画像８ｇのみが非アクティブ状態の表示領域８ｂに表示された状態を示す図である。
【０１０２】
図１６は、検出された複数の全体画像を非アクティブ状態の表示領域８ｂに表示する第２の表示方法を示す図である。周りを強調表示されたアクティブ状態の表示領域８ａには、選択された被写体である人間の顔の拡大画像が表示されている。図１６（ａ）は、選択された被写体である人間の顔を含む第１の全体画像が非アクティブ状態の表示領域８ｂに表示されている状態を示す図である。図１５（ｂ）は、選択された被写体である人間の顔を含む第２の全体画像が非アクティブ状態の表示領域８ｂに表示されている状態を示す図である。
【０１０３】
選択された被写体である人間の顔を含む第１の全体画像には、選択された被写体である人間の顔８ｃの他に、人間の顔８ｄ、８ｆが含まれている。選択された被写体である人間の顔を含む第２の全体画像には、選択された被写体である人間の顔８ｃの他に、人間の顔８ｆが含まれている。選択された被写体である人間の顔を含む第１の全体画像は、例えば、本実施の形態におけるファイル管理情報を示す図である図１２において、ファイル番号０００３、ディレクトリ番号１００の記録データが該当する。選択された被写体である人間の顔を含む第２の全体画像は、例えば、本実施の形態におけるファイル管理情報を示す図である図１２において、ファイル番号０００１、ディレクトリ番号１０１の記録データが該当する。
【０１０４】
選択された被写体である人間の顔を含む第１、第２の全体画像のどちらを非アクティブ状態の表示領域８ｂに表示するかは、画像選択釦１４によって切り替えることができる。
【０１０５】
メニュー選択釦１６によって、次の被写体の画像を表示する指示を行ったとき（Ｓ３０４でＹｅｓ）は、次の被写体の画像について、Ｓ３０１からＳ３０４の動作を繰り返す。メニュー選択釦１６によって、終了する指示を行ったとき（Ｓ３０４でＮｏ）は、アクティブ状態の表示領域８ａに表示された被写体の画像を含む全体画像を非アクティブ状態の表示領域８ｂに表示する動作を終了する。
（実施の形態４）
（１．構成）
以下、本発明の第４の実施の形態を、図を用いて詳述する。本実施の形態では、本発明を画像表示装置であるデジタルスチルカメラに適用し、再生機能を使って画像を順次表示するスライドショーを実行するときに、すでに検出された被写体のみの画像とその被写体を含む元の画像の２枚の画像を同時に表示する場合について説明する。
【０１０６】
図１７は、本実施の形態におけるデジタルスチルカメラの回路構成を示すブロック図である。第１の実施の形態におけるデジタルスチルカメラの回路構成を示すブロック図である図１との相違は、画像信号処理回路６の画像指示部６ｂが、被写体順次指示部６ｆを備えることと、画像信号処理回路６の制御部６ｃで検出された被写体の拡大または縮小画像を記録する被写体記憶部１７を備えることである。その他の構成は、図１と同様であるので、説明を省略する。
【０１０７】
なお、本発明の第３の実施の形態と同様に、被写体記憶部１７は、メモリカード１１の記憶領域の一部を使用してもよいし、画像信号処理回路６内のエンベディッドメモリ（図示せず）を使用してもよい。
（２．動作）
（２．１  表示動作）
２画面表示モードにおいて、アクティブ状態の表示領域８ａに表示された被写体の画像を含む全体画像を非アクティブ状態の表示領域８ｂに順次表示するときの動作について説明する。
【０１０８】
図１８は、アクティブ状態の表示領域８ａに表示された被写体の画像を含む全体画像を非アクティブ状態の表示領域８ｂに順次表示するときの動作を示すフローチャートである。被写体順次指示部６ｆが、最初に表示する被写体の画像を選択する（Ｓ４０１）。選択された被写体の画像は、アクティブ状態の表示領域８ａに表示される。どちらの表示領域がアクティブ状態であるかは、本発明の第１、第２、第３の実施の形態と同様に、アクティブ状態の表示領域８ａの周りを強調表示することによって、視覚的に判断できる。
【０１０９】
選択された被写体の画像について、全体画像の検出（Ｓ４０２）を行う。全体画像の検出（Ｓ４０２）は、第３の実施の形態におけるアクティブ状態の表示領域８ａに表示された被写体の画像を含む全体画像を非アクティブ状態の表示領域８ｂに表示するときの動作を示すフローチャートであるである図１３の全体画像の検出（Ｓ３０２）と同様であるので、説明を省略する。
【０１１０】
全体画像の検出（Ｓ４０２）が行われ選択された被写体の画像を含む全体画像が検出されると、検出された全体画像を非アクティブ状態の表示領域８ｂに表示する（Ｓ４０３）。このときの液晶ディスプレイ８の表示例は、第３の実施の形態における検出された全体画像を非アクティブ状態の表示領域８ｂに表示したときの液晶ディスプレイ８の表示例を示す図である図１４と同様であるので、説明を省略する。
【０１１１】
全体画像の検出（Ｓ４０２）が行われ選択された被写体と同一または類似する被写体を含む複数の全体画像が検出されると、被写体順次指示部６ｆの指示によって、検出された複数の全体画像を非アクティブ状態の表示領域８ｂに順次表示する。例えば、検出された複数の全体画像を非アクティブ状態の表示領域８ｂに表示する第２の表示方法を示す図である図１６の、選択された被写体である人間の顔を含む第１の全体画像が非アクティブ状態の表示領域８ｂに表示されている状態を示す図である図１６（ａ）と、選択された被写体である人間の顔を含む第２の全体画像が非アクティブ状態の表示領域８ｂに表示されている状態を示す図である図１６（ｂ）が、順次表示される。
【０１１２】
なお、被写体順次指示部６ｆの指示によって、非アクティブ状態の表示領域８ｂに検出された全体画像を順次表示する順番は、検出された被写体の位置座標にしたがって順次表示してもよいし、検出された被写体の大きさにしたがって順次表示してもよい。また、ランダムに表示してもよい。
【０１１３】
被写体順次指示部６ｆが、全被写体の表示が完了したかどうかを確認する（Ｓ４０４）。全被写体の表示が完了していないとき（Ｓ４０４でＮｏ）は、次に表示する被写体を選択（Ｓ４０１）して、Ｓ４０１からＳ４０４の動作を繰り返す。一方、全被写体の表示が完了しているとき（Ｓ４０４でＹｅｓ）は、アクティブ状態の表示領域８ａに表示された被写体の画像を含む全体画像を非アクティブ状態の表示領域８ｂに順次表示する動作を終了する。
【０１１４】
なお、被写体順次指示部６ｆは、被写体記憶部１７に記録された全被写体を表示するようにしてもよいし、所定の被写体群のみを表示するようにしてもよい。また、被写体順次指示部６ｆは、被写体が含まれる全体画像の撮影日時の昇順または降順で表示してもよいし、ランダムに表示してもよい。
（被写体の拡大と縮小）
本発明の第１の実施の形態から第４の実施の形態では、被写体の拡大画像を生成する場合について説明したが、被写体の縮小画像を生成する場合もあるので、ここで説明する。図１９は、被写体の拡大と縮小を説明する模式図である。
【０１１５】
図１９（ａ）は、記録データの大きさを示す図である。ＣＣＤ２の画素数が６００万程度であるとき、記録データの大きさは、横３０００ドット、縦２０００ドット程度である。一方、デジタルスチルカメラに搭載される対角２〜３インチの液晶ディスプレイ８の画素数は、２４万程度である。図１９（ｂ）は、表示画面の短辺方向を縦方向として１画面表示モードで表示された表示データの大きさを示す図である。表示データの大きさは、横６００ドット、縦４００ドット程度である。図１９（ｃ）は、表示画面の長辺方向を縦方向として２画面表示モードで表示された表示データの大きさを示す図である。アクティブ状態の表示領域８ａには全体画像が、非アクティブ状態の表示領域８ｂには被写体の拡大または縮小画像が、それぞれ表示されている。全体画像と被写体の拡大または縮小画像の大きさは、それぞれ横４００ドット、縦３００ドット程度である。
【０１１６】
非アクティブ状態の表示領域８ｂに表示される被写体の拡大または縮小画像である人間の顔８ｌを生成するには、三通りの方法がある。第１の生成方法は、記録データに含まれる人間の顔８ｄから生成する方法（点線Ａ−Ａ’）である。第２の生成方法は、１画面表示モードで表示された表示データに含まれる人間の顔８ｊから生成する方法（点線Ｂ−Ｂ’）である。そして、第３の生成方法は、２画面表示モードで表示された全体画像に含まれる人間の顔８ｋから生成する方法（点線Ｃ−Ｃ’）である。
【０１１７】
図１９に示した例では、第１の生成方法（点線Ａ−Ａ’）では縮小となり、第２の生成方法（点線Ｂ−Ｂ’）と第３の生成方法（点線Ｃ−Ｃ’）では拡大となる。ただし、ＣＣＤ２の画素数、液晶ディスプレイ８の画素数、被写体の大きさ、被写体の画像の生成方法によって、拡大となるか縮小となるかが変わる。
【０１１８】
図２０は、被写体の大きさによって拡大と縮小が変わることを説明する模式図である。図２０（ａ）は、図１９（ｂ）と同様に、表示画面の短辺方向を縦方向として１画面表示モードで表示された表示データの大きさを示す図である。図２０（ｂ）は、図１９（ｃ）と同様に、表示画面の長辺方向を縦方向として２画面表示モードで表示された表示データの大きさを示す図である。
【０１１９】
図２０に示した例では、図１９に示した例よりも１画面表示モードで表示された表示データに含まれる人間の顔８ｊが大きいので、第２の生成方法（点線Ｂ−Ｂ’）においても縮小となる。一方、第３の生成方法（点線Ｃ−Ｃ’）では、図２０（ｂ）に示すように液晶ディスプレイ８の表示画面内を等分して２画面表示モードを構成する限り、非アクティブ状態の表示領域８ｂに表示された被写体の画像である人間の顔８ｌの大きさは、アクティブ状態の表示領域８ａに表示された全体画像に含まれる人間の顔８ｋの大きさと同じかまたは大きくなる。
【０１２０】
図２０（ｃ）は、表示画面の長辺方向を縦方向とした２画面表示モードにおいて、非アクティブ状態の表示領域８ｂに逆Ｌ字型の情報表示領域８ｍを設けたときの表示データの大きさを示す図である。情報表示領域８ｍには、例えば、非アクティブ状態の表示領域８ｂに表示された被写体の画像である人間８ｌに関する情報が表示される。非アクティブ状態の表示領域８ｂに表示された被写体の画像である人間の顔８ｌは、図２０（ｂ）のときより小さいので、第３の生成方法（点線Ｃ−Ｃ’）においても縮小となる。
（その他の実施の形態）
（１．被写体検出）
選択された画像の表示データから被写体を検出しなかったときに、記録データから被写体を検出するようにしてもよい。よりデータ量の少ない表示データから優先して被写体を検出することによって被写体の検出に要する時間を短縮するという効果を奏する。
【０１２１】
また、検出選択部をさらに備え、選択された画像の記録データから被写体を検出するか、選択された画像の表示データから被写体を検出するかを選択できるようにしてもよい。よりデータ量の少ない表示データから被写体を検出することによって被写体の検出に要する時間を短縮するか、よりデータ量の多い記録データから被写体を検出することによって被写体の検出精度を向上するか、を選択できるという効果を奏する。
（２．被写体生成）
検出された被写体が所定の大きさより大きいときは表示データから被写体の拡大または縮小画像を生成し、被写体が所定の大きさより小さいときは記録データから被写体の拡大または縮小画像を生成するようにしてもよい。被写体が所定の大きさより大きいときはよりデータ量の少ない表示データから被写体の拡大または縮小画像を生成することによって被写体の拡大または縮小画像の生成に要する時間を短縮し、被写体が所定の大きさより小さいときはよりデータ量の多い記録データから被写体の拡大または縮小画像を生成することによって被写体の拡大または縮小画像の生成精度を向上するという効果を奏する。
【０１２２】
また、生成選択部をさらに備え、選択された画像の記録データから被写体の拡大または縮小画像を生成するか、選択された画像の表示データから被写体の拡大または縮小画像を生成するかを選択できるようにしてもよい。よりデータ量の少ない表示データから被写体の拡大または縮小画像を生成することによって被写体の拡大または縮小画像の生成に要する時間を短縮するか、よりデータ量の多い記録データから被写体の拡大または縮小画像を生成することによって被写体の拡大または縮小画像の生成精度を向上するか、を選択できるという効果を奏する。
【０１２３】
縮小画像を生成するときにも、同様に二つの方法が考えられるが、縮小するときは解像度が下がる傾向にあるため、高速に生成できる前者の方法を自動的に選ぶようにしてもよい。
（３．類似度）
本発明の第３の実施の形態、第４の実施の形態では、すでに検出された被写体と同一または類似する被写体には、本実施の形態におけるファイル管理情報を示す図である図１２の被写体番号の＿（アンダースコア）の前の数字を同じ数字としたが、検出された全ての被写体との類似度を測定し、その情報をファイル管理情報に登録してもよい。類似度の測定技術は発展途上にあるので、類似度がどの程度の値以上であれば同一の被写体であるかを判断する閾値を変更できることは、本発明の実用において有益である。
【０１２４】
類似度については、例えば、比較する被写体の画像の大きさを一定に揃えた上で、各画素の差分絶対値の総和や相関係数を用いる方法などが考えられる。
（４．その他）
領域選択部をさらに備え、領域選択部によって選択された表示領域をアクティブ状態の表示領域とし、領域選択部によって選択されなかった表示領域を非アクティブ状態の表示領域とするようにしてもよい。アクティブ状態の表示領域と非アクティブ状態の表示領域を容易に入れ替えることができるという効果を奏する。なお、本発明の第１の実施の形態から第４の実施の形態では、表示画面の長辺方向を縦方向として２画面表示モードを構成する例を示したが、表示画面の短辺方向を縦方向として２画面表示モードを構成してもよい。
【０１２５】
本発明の第１の実施の形態から第４の実施の形態では、画像記憶部をカードコネクタ１０に挿入されたメモリカード１１とする例を示したが、デジタルスチルカメラに内蔵されたメモリであっても着脱可能なメモリカード１１などであってもよい。メモリカード１１などであれば、他の装置で撮影された画像に対しても本発明の効果を奏することができる。
【０１２６】
本発明の第１の実施の形態から第４の実施の形態では、デジタルスチルカメラが表示部である液晶ディスプレイを備える例を示したが、表示部は、デジタルスチルカメラに備えられていてもよいしデジタルスチルカメラには表示装置インタフェース部を備え外部の表示装置を接続できるようにしてもよい。表示装置インタフェース部を備えていれば、外部の大型表示装置、例えばプラズマテレビなどの大画面で全体画像と被写体を同時に鑑賞できるという効果を奏する。
【０１２７】
本発明の第１の実施の形態から第４の実施の形態では、デジタルスチルカメラが表示部である一つの液晶ディスプレイ８を備える例を示したが、表示部は、一つの表示画面を二つの表示領域に分割してもよいし二つの表示画面を備えていてもよい。二つの表示画面を備えていれば、画像表示装置に最適なレイアウトで表示画面を配置できるという効果を奏する。
【０１２８】
本発明の第１の実施の形態から第４の実施の形態では、人間の顔を被写体とする例を示したが、被写体は、人物、動物、植物、文字、図形、標準的な形状が認知可能な物体のいずれかまたは複数であればよい。拡大したい部分を複数のカテゴリから選択できるので、より使用者の嗜好にあった被写体の選択ができるという効果を奏する。
【０１２９】
本発明は、パーソナルコンピュータなどを画像表示装置として使用するときの画像表示プログラムとして使用してもよい。
【産業上の利用可能性】
【０１３０】
本発明の画像表示装置は、アクティブ状態の表示領域に表示された画像に含まれる被写体の拡大または縮小画像を非アクティブ状態の表示領域に表示するので、デジタルスチルカメラ、デジタルビデオカメラ、カメラ付き携帯電話などの撮像装置、ＰＤＡ、携帯ゲーム機、画像を表示することができる携帯音楽プレーヤなどの携帯機器、画像を記録したりテレビなどに表示したりできるストレージ機器、メモリカードスロットなどを備えるテレビなどに適用することができる。また、パーソナルコンピュータなどを画像表示装置として使用するときの画像表示プログラムに適用することができる。
【図面の簡単な説明】
【０１３１】
【図１】実施の形態１におけるデジタルスチルカメラの回路構成を示すブロック図
【図２】メモリカードに記録された記録データのディレクトリ構成例を示す図
【図３】ファイル管理情報と記録データの座標系を示す図
【図４】アクティブ状態の表示領域に表示された画像から検出された被写体の拡大画像を非アクティブ状態の表示領域に表示するときの動作を示すフローチャート
【図５】検出された被写体の拡大画像を非アクティブ状態の表示領域に表示したときの液晶ディスプレイの表示例を示す図
【図６】被写体が検出されなかったことを非アクティブ状態の表示領域に表示したときの液晶ディスプレイの表示例を示す図
【図７】検出された複数の被写体の拡大画像を非アクティブ状態の表示領域に表示したときの液晶ディスプレイの表示例を示す図
【図８】実施の形態２におけるデジタルスチルカメラの回路構成を示すブロック図
【図９】アクティブ状態の表示領域に表示された画像から検出された被写体の拡大画像を非アクティブ状態の表示領域に順次表示するときの動作を示すフローチャート
【図１０】検出された複数の被写体の拡大画像を非アクティブ状態の表示領域に表示したときの液晶ディスプレイの表示例における第１の表示方法を示す図
【図１１】実施の形態３におけるデジタルスチルカメラの回路構成を示すブロック図
【図１２】実施の形態３におけるファイル管理情報を示す図
【図１３】アクティブ状態の表示領域に表示された被写体の画像を含む全画像を非アクティブ状態の表示領域に表示するときの動作を示すフローチャート
【図１４】検出された全体画像を非アクティブ状態の表示領域に表示したときの液晶ディスプレイの表示例を示す図
【図１５】検出された複数の全体画像を非アクティブ状態の表示領域に表示する第１の表示方法を示す図
【図１６】検出された複数の全体画像を非アクティブ状態の表示領域に表示する第２の表示方法を示す図
【図１７】実施の形態４におけるデジタルスチルカメラの回路構成を示すブロック図
【図１８】アクティブ状態の表示領域に表示された被写体の画像を含む全体画像を非アクティブ状態の表示領域に順次表示するときの動作を示すフローチャート
【図１９】被写体の拡大と縮小を説明する模式図
【図２０】被写体の大きさによって拡大と縮小が変わることを説明する模式図
【符号の説明】
【０１３２】
１    レンズ
２    ＣＣＤ
３    ＣＣＤ制御回路
４    Ａ／Ｄ変換回路
５    ＳＤＲＡＭ
６    画像信号処理回路
６ａ    信号処理部
６ｂ    画像指示部
６ｃ    制御部
７    ＣＰＵ
８    液晶ディスプレイ
８ａ    アクティブ状態の表示領域
８ｂ    非アクティブ状態の表示領域
１０    カードコネクタ
１１    メモリカード
１２    モードダイアル
１３    シャッタ釦
１４    画像選択釦
１５    被写体選択釦
１６    メニュー選択釦
【図１】
2008022517.tif 000003
【図２】
2008022517.tif 000004
【図３】
2008022517.tif 000005
【図４】
2008022517.tif 000006
【図５】
2008022517.tif 000007
【図６】
2008022517.tif 000008
【図７】
2008022517.tif 000009
【図８】
2008022517.tif 000010
【図９】
2008022517.tif 000011
【図１０】
2008022517.tif 000012
【図１１】
2008022517.tif 000013
【図１２】
2008022517.tif 000014
【図１３】
2008022517.tif 000015
【図１４】
2008022517.tif 000016
【図１５】
2008022517.tif 000017
【図１６】
2008022517.tif 000018
【図１７】
2008022517.tif 000019
【図１８】
2008022517.tif 000020
【図１９】
2008022517.tif 000021
【図２０】
2008022517.tif 000022